(57)【要約】【課題】本発明は、発電機や電動機が作動する場合にステータに作用する反作用を利用する反作用利用型発電装置及び反作用利用型電動装置を提供する。【解決手段】第１立設支持枠体１４と第２立設支持枠体１６はフランジ取付型発電機２０を支持すると共にフランジ取付型発電機２０のステータ２２とローターシャフト２４は別々に回転可能に支持されている。ステータ―２２はフランジ付シャフト２６を介してステータ回転用大スプロケット３０、ステータ回転力伝達チェーン５０、ステータ連動小スプロケット４８、第２シャフト４６、回転反転用大ギヤ５２、回転反転用小ギヤ５６、第３シャフト５４、回転サポート体用大スプロケット５８、回転サポート体用チェーン６０、回転サポート体用小スプロケット４２、第１シャフト４０に支持されているのでゴムタイヤ４４がローターシャフト２４に固定された回転ドラム３４の回転をサポートする。【選択図】図１
2020043635.tif 000002
【特許請求の範囲】
【請求項１】
ベース体に立設された第１立設支持体と、前記ベース体に第１立設支持体と対向して立設された第２立設支持体と、前記第１立設支持体と第２立設支持体との間に配設支持された発電機と、この発電機を構成するステータと、前記発電機を構成するローターと、前記ステータに取り付けられると共に回転可能に配設されたステータ取付シャフトと、このステータ取付シャフトに取り付けられたステータ連動第１回転力伝達体と、前記ローターに取り付けられた回転体と、前記ローターに取り付けられた始動用回転力伝達体と、前記第１立設支持体と前記第２立設支持体に回転可能に支持された第１シャフトと、この第１シャフトに回転可能に取り付けられた回転サポート体用第１回転力伝達体と、前記第１シャフトに回転可能に取り付けられると共に前記回転体と当接して取り付けられた回転サポート体と、前記ベース体の一側部とベース体の他側部の間に回転可能に配設された第２シャフトと、この第２シャフトに前記ステータ連動第１回転力伝達体と対応して取り付けられたステータ連動第２回転力伝達体と、このステータ連動第２回転力伝達体と前記ステータ連動第１回転力伝達体に掛け回されたステータ回転力伝達環状体と、前記第２シャフトに取り付けられた回転反転用第１ギヤと、前記ベース体の一側部とベース体の他側部の間に回転可能に配設された第３シャフトと、この第３シャフトに前記回転反転用第１ギヤと噛み合って取り付けられた回転反転用第２ギヤと、前記第３シャフトに前記回転サポート体用第１回転力伝達体と対応して取り付けられた回転サポート体用第２回転力伝達体と、前記回転サポート体用第１回転力伝達体と回転サポート体用第２回転力伝達体に掛け回された回転サポート体用回転力伝達環状体と、を有してなることを特徴とする反作用利用型発電装置。
【請求項２】
前記ベース体に設けられた始動装置と、この始動装置と前記始動用回転力伝達体に掛け回された始動用回転力伝達環状体と、を有してなることを特徴とする請求項１記載の反作用利用型発電装置。
【請求項３】
前記第２シャフトには前記回転反転用第１ギヤに替えて前記回転反転用第２ギヤを取り付け、前記第３シャフトには前記回転反転用第２ギヤに替えて回転反転用第１ギヤを取り付けたことを特徴とする請求項１、請求項２のいずれか１項記載の反作用利用型発電装置。
【請求項４】
ベース体に立設された第１立設支持体と、前記ベース体に第１立設支持体と対向して立設された第２立設支持体と、前記第１立設支持体と第２立設支持体との間に配設支持された電動機と、この電動機を構成するステータと、前記電動機を構成するローターと、前記ステータに取り付けられると共に回転可能に配設されたステータ取付シャフトと、このステータ取付シャフトに取り付けられたステータ連動第１回転力伝達体と、前記ローターに取り付けられた回転体と、前記ローターに取り付けられた駆動用回転力伝達体と、前記第１立設支持体と前記第２立設支持体に回転可能に支持された第１シャフトと、この第１シャフトに回転可能に取り付けられた回転サポート体用第１回転力伝達体と、前記第１シャフトに回転可能に取り付けられると共に前記回転体と当接して取り付けられた回転サポート体と、前記ベース体の一側部とベース体の他側部の間に回転可能に配設された第２シャフトと、この第２シャフトに前記ステータ連動第１回転力伝達体と対応して取り付けられたステータ連動第２回転力伝達体と、このステータ連動第２回転力伝達体と前記ステータ連動第１回転力伝達体に掛け回されたステータ回転力伝達環状体と、前記第２シャフトに取り付けられた回転反転用第１ギヤと、前記ベース体の一側部とベース体の他側部の間に回転可能に配設された第３シャフトと、この第３シャフトに前記回転反転用第１ギヤと噛み合って取り付けられた回転反転用第２ギヤと、前記第３シャフトに前記回転サポート体用第１回転力伝達体と対応して取り付けられた回転サポート体用第２回転力伝達体と、前記回転サポート体用第１回転力伝達体と回転サポート体用第２回転力伝達体に掛け回された回転サポート体用回転力伝達環状体と、を有してなることを特徴とする反作用利用型電動装置。
【請求項５】
前記始動用回転力伝達体、前記回転サポート体用第１回転力伝達体、前記ステータ連動第１回転力伝達体、前記ステータ連動第２回転力伝達体、回転サポート体用第２回転力伝達体をスプロケットで形成し、前記ステータ回転力伝達環状体、回転サポート体用回転力伝達環状体をチェーンで形成したことを特徴とする請求項１、請求項２、請求項３のいずれか１項記載の反作用利用型発電装置。
【請求項６】
前記始動用回転力伝達体、前記回転サポート体用第１回転力伝達体、前記ステータ連動第１回転力伝達体、前記ステータ連動第２回転力伝達体、回転サポート体用第２回転力伝達体をスプロケットで形成し、前記ステータ回転力伝達環状体、回転サポート体用回転力伝達環状体をチェーンで形成したことを特徴とする請求項４記載の反作用利用型電動装置。
【発明の詳細な説明】
【技術分野】
【０００１】
本発明は、発電装置、電動装置に関し、より詳しくは発電機や電動機に発生する反作用を利用することにより発電効率や電動効率を高くすることができる反作用利用型発電装置及び反作用利用型電動装置に関する。
【背景技術】
【０００２】
従来よりステータにフランジを設けたフランジ取付型電動機やフランジ取付型電動機が知られている（例えば特許文献１）。
このフランジ取付型電動機やフランジ取付型電動機は、ステータが回転しないようにフランジを介して取付箇所にフランジ取付型電動機やフランジ取付型電動機を固定している。
【先行技術文献】
【特許文献】
【０００３】
【特許文献１】特開２００３−２３７５３号公報
【発明の概要】
【発明が解決しようとする課題】
【０００４】
これによりステータが固定され、ローターが回転することに発電機や電動機が作動するようになっている。
しかし、従来の発電機や電動機ではステータを固定してしまうため、発電機や電動機が作動することによりステータに作用する反作用を利用していない。
【０００５】
本発明は、上記事実に鑑みなされたものであり、発電機や電動機が作動する場合にステータに作用する反作用も利用することにより効率的に発電機や電動機を作動させることができる反作用利用型発電装置及び反作用利用型電動装置を提供するものである。
【課題を解決するための手段】
【０００６】
本発明は、上記の如き実情に鑑みこれらの課題を解決することを目的として創作されたものであり、
請求項１の発明は、ベース体に立設された第１立設支持体と、前記ベース体に第１立設支持体と対向して立設された第２立設支持体と、前記第１立設支持体と第２立設支持体との間に配設支持された発電機と、この発電機を構成するステータと、前記発電機を構成するローターと、前記ステータに取り付けられると共に回転可能に配設されたステータ取付シャフトと、このステータ取付シャフトに取り付けられたステータ連動第１回転力伝達体と、前記ローターに取り付けられた回転体と、前記ローターに取り付けられた始動用回転力伝達体と、前記第１立設支持体と前記第２立設支持体に回転可能に支持された第１シャフトと、この第１シャフトに回転可能に取り付けられた回転サポート体用第１回転力伝達体と、前記第１シャフトに回転可能に取り付けられると共に前記回転体と当接して取り付けられた回転サポート体と、前記ベース体の一側部とベース体の他側部の間に回転可能に配設された第２シャフトと、この第２シャフトに前記ステータ連動第１回転力伝達体と対応して取り付けられたステータ連動第２回転力伝達体と、このステータ連動第２回転力伝達体と前記ステータ連動第１回転力伝達体に掛け回されたステータ回転力伝達環状体と、前記第２シャフトに取り付けられた回転反転用第１ギヤと、前記ベース体の一側部とベース体の他側部の間に回転可能に配設された第３シャフトと、この第３シャフトに前記回転反転用第１ギヤと噛み合って取り付けられた回転反転用第２ギヤと、前記第３シャフトに前記回転サポート体用第１回転力伝達体と対応して取り付けられた回転サポート体用第２回転力伝達体と、前記回転サポート体用第１回転力伝達体と回転サポート体用第２回転力伝達体に掛け回された回転サポート体用回転力伝達環状体と、を有してなることを特徴としている。
請求項２の発明は、前記ベース体に設けられた始動装置と、この始動装置と前記始動用回転力伝達体に掛け回された始動用回転力伝達環状体と、を有してなることを特徴としている。
請求項３の発明は、前記第２シャフトには前記回転反転用第１ギヤに替えて前記回転反転用第２ギヤを取り付け、前記第３シャフトには前記回転反転用第２ギヤに替えて回転反転用第１ギヤを取り付けたことを特徴としている。
請求項４の発明は、ベース体に立設された第１立設支持体と、前記ベース体に第１立設支持体と対向して立設された第２立設支持体と、前記第１立設支持体と第２立設支持体との間に配設支持された電動機と、この電動機を構成するステータと、前記電動機を構成するローターと、前記ステータに取り付けられると共に回転可能に配設されたステータ取付シャフトと、このステータ取付シャフトに取り付けられたステータ連動第１回転力伝達体と、前記ローターに取り付けられた回転体と、前記ローターに取り付けられた駆動用回転力伝達体と、前記第１立設支持体と前記第２立設支持体に回転可能に支持された第１シャフトと、この第１シャフトに回転可能に取り付けられた回転サポート体用第１回転力伝達体と、前記第１シャフトに回転可能に取り付けられると共に前記回転体と当接して取り付けられた回転サポート体と、前記ベース体の一側部とベース体の他側部の間に回転可能に配設された第２シャフトと、この第２シャフトに前記ステータ連動第１回転力伝達体と対応して取り付けられたステータ連動第２回転力伝達体と、このステータ連動第２回転力伝達体と前記ステータ連動第１回転力伝達体に掛け回されたステータ回転力伝達環状体と、前記第２シャフトに取り付けられた回転反転用第１ギヤと、前記ベース体の一側部とベース体の他側部の間に回転可能に配設された第３シャフトと、この第３シャフトに前記回転反転用第１ギヤと噛み合って取り付けられた回転反転用第２ギヤと、前記第３シャフトに前記回転サポート体用第１回転力伝達体と対応して取り付けられた回転サポート体用第２回転力伝達体と、前記回転サポート体用第１回転力伝達体と回転サポート体用第２回転力伝達体に掛け回された回転サポート体用回転力伝達環状体と、を有してなることを特徴としている。
請求項５の発明は、前記始動用回転力伝達体、前記回転サポート体用第１回転力伝達体、前記ステータ連動第１回転力伝達体、前記ステータ連動第２回転力伝達体、回転サポート体用第２回転力伝達体をスプロケットで形成し、前記ステータ回転力伝達環状体、回転サポート体用回転力伝達環状体をチェーンで形成したことを特徴としている。
請求項６の発明は、前記始動用回転力伝達体、前記回転サポート体用第１回転力伝達体、前記ステータ連動第１回転力伝達体、前記ステータ連動第２回転力伝達体、回転サポート体用第２回転力伝達体をスプロケットで形成し、前記ステータ回転力伝達環状体、回転サポート体用回転力伝達環状体をチェーンで形成したことを特徴としている。
【発明の効果】
【０００７】
本発明の反作用利用型発電装置は、発電機に生じた反作用を有効に利用することにより、発電量を多くすることができると共に極めて効率よく発電を行うことができるという優れた効果を有する。
本発明の反作用利用型電動装置は、電動機に生じた反作用を有効に利用することにより、出力量を多くすることができると共に極めて効率よく電動機を作動させることができるという優れた効果を有する。
【図面の簡単な説明】
【０００８】
【図１】第１実施例の反作用利用型発電装置の一部断面正面図である。
【図２】第１実施例の反作用利用型発電装置のギヤとスプロケットの関係を示す概略側面図である。
【図３】第１実施例の反作用利用型発電装置の平面図である。
【図４】第１実施例の反作用利用型発電装置の一部拡大縦断面図である。
【図５】第２実施例の反作用利用型発電装置の一部断面正面図である。
【図６】第２実施例の反作用利用型発電装置のギヤとスプロケットの関係を示す概略側面図である。
【図７】第２実施例の反作用利用型発電装置の平面図である。
【図８】第２実施例の反作用利用型発電装置の一部拡大縦断面図である。
【図９】第３実施例の反作用利用型発電装置の一部断面正面図である。
【図１０】第３実施例の反作用利用型発電装置のギヤとスプロケットの関係を示す概略側面図である。
【図１１】第３実施例の反作用利用型発電装置の平面図である。
【図１２】第３実施例の反作用利用型発電装置の一部拡大縦断面図である。
【図１３】第１実施例の反作用利用型電動装置の一部断面正面図である。
【図１４】第１実施例の反作用利用型電動装置のギヤとスプロケットの関係を示す概略側面図である。
【図１５】第１実施例の反作用利用型電動装置の平面図である。
【図１６】第１実施例の反作用利用型電動装置の一部拡大縦断面図である。
【図１７】第２実施例の反作用利用型電動装置のギヤとスプロケットの関係を示す概略側面図である。
【図１８】第２実施例の反作用利用型電動装置の平面図である。
【図１９】第２実施例の反作用利用型電動装置の一部拡大縦断面図である。
【発明を実施するための形態】
【０００９】
発明を実施するために最良の形態の例として以下のような実施例を示す。
【実施例１】
【００１０】
図１〜図４には本発明に係る反作用利用型発電装置の一実施例が示されている。なお、反作用利用型発電装置の正面側を図面中矢印Ｆで表し、背面側を図面中矢印Ｂで表す。
【００１１】
図１及び図３に示されるように、第１実施例の反作用利用型発電装置１０の下部には平面視矩形状に形成されたベース体としてのベース枠体１２が設けられている。
【００１２】
このベース枠体１２の一側部には第１立設支持体としての第１立設支持枠体１４が立設され、他側部には第２立設支持体としての第２立設支持枠体１６が立設されている。この第１立設支持枠体１４と第２立設支持枠体１６は互いに対向して立設されている。
【００１３】
図２及び図３に示されるように、前記第１立設支持枠体上端板部１４Ａは第１立設支持枠体第１支柱１４Ｂと第１立設支持枠体第２支柱１４Ｃによって支持されている。
また、前記第２立設支持枠体上端板部１６Ａは第２立設支持枠体第１支柱１６Ｂと第２立設支持枠体第２支柱１６Ｃによって支持されている。
【００１４】
図３に示されるように、前記第１立設支持枠体１４の第１立設支持枠体上端板部１４Ａの背面側（図２、図３矢印Ｂ方向）には第１玉軸受ユニット１８Ａが固定されている。また、前記第２立設支持枠体１６の第２立設支持枠体上端板部１６Ａの背面側には第２玉軸受ユニット１８Ｂが固定されている。前記第１玉軸受ユニット１８Ａと第２玉軸受ユニット１８Ｂは同心状で対向して設けられている。
【００１５】
前記第１立設支持枠体１４と第２立設支持枠体１６の背面側の間には発電機としてのフランジ取付型発電機２０が配設されている。このフランジ取付型発電機機２０は公知のインナーローター型のフランジ取付型発電機である。
【００１６】
図４に示されるように、このフランジ取付型発電機２０の円筒状のステータ２２の軸心部にはローターとしてのローターシャフト２４が回転可能に挿通されている。
前記ステータ２２の内面にはコイル２５Ａが取り付けられており、前記ローターシャフト２４の外周部には永久磁石２５Ｂが取り付けられている。
【００１７】
図３及び図４に示されるように、前記ステータ２２の一端面にはステータ取付シャフトとしてのフランジ付シャフト２６が固定されている。前記ステータ２２のステーターフランジ部２２Ａとフランジ付シャフト２６のフランジ部２６Ａをボルト等の適宜固定手段で固定することによりフランジ付シャフト２６はステータ２２と同心状に固定されている。
【００１８】
従って、ステータ２２とフランジ付シャフト２６は固定され、一緒に回転するようになっている。
【００１９】
図４に示されるように、前記フランジ付シャフト２６には軸方向に向かって貫通孔２６Ｂが形成されている。
また、フランジ付シャフト２６のフランジ部２６Ａ側には前記貫通孔２６Ｂと同心状にローターシャフト挿入部２８が形成されている。
【００２０】
このローターシャフト挿入部２８には前記ローターシャフト２４の一端部２４Ａが挿入されている。
【００２１】
また、前記フランジ付シャフト２６にはコード線導入孔２６Ｃが前記貫通孔２６Ｂと連通するように形成されている。
【００２２】
図３に示されるように、前記フランジ付シャフト２６の中間部にはステータ連動第１回転力伝達体としてのステータ連動大スプロケット３０が固定されている。
【００２３】
前記フランジ付シャフト２６の中間部は第１玉軸受ユニット１８Ａに挿通され、これによりフランジ付シャフト２６は第１玉軸受ユニット１８Ａによって回転可能に支持されている。
【００２４】
また、前記フランジ付シャフト２６の一端部には発電機電力取出用スリップリング３２が取り付けられている。この発電機電力取出用スリップリング３２には前記フランジ取付型発電機２０に基端部が接続されたコード線３３の中間部がコード線導入孔２６Ｃから貫通孔２６Ｂを挿通して発電機電力取出用スリップリング３２に挿通するようになっている。
【００２５】
前記コード線３３の先端部には前記フランジ取付型発電機２０で発電された電気を利用する照明装置等の適宜電力消費部３３Ａ（図１に示す）と接続されている。
【００２６】
図３及び図４に示されるように、前記ローターシャフト２４の中間部には回転体としての円筒状の回転ドラム３４が固定して取り付けられている。なお、この回転ドラム３４の内部には回転ドラム３４の回転を加減できる加減速機（図示せず）が収容されている。
【００２７】
図３に示されるように、前記ローターシャフト２４の中間部には始動用回転力伝達体としての始動用スプロケット３６が固定して取り付けられている。この始動用スプロケット３６には回転力伝達環状体としての始動用チェーン３８（想像線で示す）が掛け回されている。
この始動用チェーン３８はモーター等の適宜の始動装置３９のスプロケットに掛け回されており、始動装置３９が作動することにより始動用チェーン３８が回って始動用スプロケット３６が回転するようになっている。
【００２８】
前記ローターシャフト２４の他端部２４Ｂは第２玉軸受ユニット１８Ｂに挿通され、これによりローターシャフト２４は第２玉軸受ユニット１８Ｂによって回転可能に支持されている。
【００２９】
前記第１立設支持枠体１４の第１立設支持枠体上端板部１４Ａの正面側（図２、図３矢印Ｆ方向）には第３玉軸受ユニット１８Ｃが固定されている。また、前記第２立設支持枠体１６の第２立設支持枠体上端板部１６Ａの正面側には第４玉軸受ユニット１８Ｄが固定されている。前記第３玉軸受ユニット１８Ｃと第４玉軸受ユニット１８Ｄは同心状で対向して設けられている。
【００３０】
前記第３玉軸受ユニット１８Ｃには第１シャフト４０の一端部４０Ａが挿通され、前記第４玉軸受ユニット１８Ｄには第１シャフト４０の他端部４０Ｂが挿通されている。これにより、前記第１シャフト４０は第３玉軸受ユニット１８Ｃと第４玉軸受ユニット１８Ｄによって回転可能に支持されている。
【００３１】
前記第１シャフト４０の中間部には回転サポート体用第１回転力伝達体としての回転サポート体用小スプロケット４２が固定された状態で取り付けられている。
【００３２】
また、前記第１シャフト４０の中間部には回転サポート体としてのゴムタイヤ４４が固定した状態で取り付けられている。このゴムタイヤ４４の外周面は前記回転ドラム３４の外周面と当接した状態で配設されている。
【００３３】
図１及び図２に示されるように、前記ベース枠体１２の一側部の背面側には第５玉軸受ユニット１８Ｅが固定され、他側部の背面側には第６玉軸受ユニット１８Ｆが固定されている。
この第５玉軸受ユニット１８Ｅと第６玉軸受ユニット１８Ｆは同心状で対向して設けられている。
【００３４】
前記第５玉軸受ユニット１８Ｅには第２シャフト４６の一端部４６Ａが挿通され、第６玉軸受ユニット１８Ｆには第２シャフト４６の他端部４６Ｂが挿通されている。これにより、第２シャフト４６は第５玉軸受ユニット１８Ｅと第６玉軸受ユニット１８Ｆとによって回転可能に支持されている。
【００３５】
前記第２シャフト４６の中間部にはステータ連動第２回転力伝達体としてのステータ連動小スプロケット４８が固定して取り付けられている。このステータ連動小スプロケット４８は前記ステータ連動大スプロケット３０と対応して設けられている。
【００３６】
前記ステータ連動大スプロケット３０と前記ステータ連動小スプロケット４８にはステータ回転力回転力伝達環状体としてのステータ回転力伝達チェーン５０が掛け回されている。
【００３７】
また、前記第２シャフト４６の中間部には回転反転用第１ギヤとしての回転反転用大ギヤ５２が固定して取り付けられている。
【００３８】
図３に示されるように、前記ベース枠体１２の一側部の正面側には第７玉軸受ユニット１８Ｇが固定され、他側部の正面側には第８玉軸受ユニット１８Ｈが固定されている。
この第７玉軸受ユニット１８Ｇと第８玉軸受ユニット１８Ｈは同心状で対向して設けられている。
【００３９】
前記第７玉軸受ユニット１８Ｇには第３シャフト５４の一端部５４Ａが挿通され、第８玉軸受ユニット１８Ｈには第３シャフト５４の他端部５４Ｂが挿通されている。これにより、第３シャフト５４は第７玉軸受ユニット１８Ｇと第８玉軸受ユニット１８Ｈによって回転可能に支持されている。
【００４０】
前記第３シャフト５４の中間部には回転反転用第２ギヤとしての回転反転用小ギヤ５６が固定して取り付けられている。図２に示されるように、この回転反転用小ギヤ５６は前記回転反転用大ギヤ５２と噛み合った状態で取り付けられている。
【００４１】
図１及び図２に示されるように、前記第３シャフト５４の中間部には回転サポート体用第２回転力伝達体としての回転サポート体用大スプロケット５８が固定した状態で取り付けられている。この回転サポート体用大スプロケット５８は前記回転サポート体用小スプロケット４２と対応して設けられている。
【００４２】
前記回転サポート体用大スプロケット５８と前記回転サポート体用小スプロケット４２には回転サポート体用回転力伝達環状体としての回転サポート体用チェーン６０が掛け回されている。
【００４３】
なお、この実施例においては、前記ステータ連動大スプロケット３０と前記ステータ連動小スプロケット４８のスプロケット比は３：１に設定されている。
前記回転反転用大ギヤ５２と前記回転反転用小ギヤ５６のギヤ比は３：１に設定されている。
前記回転サポート用大スプロケット５８と前記回転サポート体用小スプロケット４２のスプロケット比は３：１に設定されている。
また、前記ゴムタイヤ４４と前記回転ドラム３４の直径比は１．３：１に設定されている。
【００４４】
次に、第１実施例の反作用利用型発電装置１０の作用について説明する。
【００４５】
前記始動装置３９のスイッチをオンすると始動用チェーン３８を介して始動用スプロケット３６が回転し、ローターシャフト２４と共に回転ドラム３４も一緒に回転する。
この時、前記ローターシャフト２４が挿通しているステータ２２は、コイル２５Ａと永久磁石２５Ｂとの間に生じる電磁力によりローターシャフト２４と同じ方向に回転する。
【００４６】
しかし、前記フランジ取付型発電機２０のステータ―２２はフランジ付シャフト２６を介してステータ回転用大スプロケット３０、ステータ回転力伝達チェーン５０、ステータ連動小スプロケット４８、第２シャフト４６、回転反転用大ギヤ５２、回転反転用小ギヤ５６、第３シャフト５４、回転サポート体用大スプロケット５８、回転サポート体用チェーン６０、回転サポート体用小スプロケット４２、第１シャフト４０、ゴムタイヤ４４と間接的に接続しているので前記ステータ２２には機械的な負荷がかかっている。
このため、ステータ２２は、ローターシャフト２４の回転に比べてかなり低回転となることにより前記フランジ取付型発電機２０は発電を開始する。
【００４７】
この実施例では、前記ステータ２２は図２時計回り方向（図２矢印Ｒ方向）に回転するように設定されているので、ステータ２２に固定されているフランジ付シャフト２６も図２時計回り方向（図２矢印Ｒ方向）に回転する。
前記フランジ付シャフト２６が回転することにより、ステータ回転用大スプロケット３０が図２時計回り方向（図２矢印Ｒ方向）に回転する。
前記ステータ連動大スプロケット３０が回転するとステータ回転力伝達チェーン５０を介してステータ連動小スプロケット４８と第２シャフト４６が図２時計回り方向（図２矢印Ｒ方向）に回転する。
【００４８】
第２シャフト４６が図２時計回り方向に回転することにより回転反転用大ギヤ５２も図２時計回り方向に回転するため回転反転用大ギヤ５２と噛み合っている回転反転用小ギヤ５６は図２反時計回り方向に回転する。
この回転反転用小ギヤ５６の図２反時計回り方向の回転により第３シャフト５４と回転サポート体用大スプロケット５８が図２反時計回り方向に回転する。
【００４９】
この回転サポート体用大スプロケット５８が回転することにより回転サポート体用チェーン６０を介して回転サポート体用小スプロケット４２が図２反時計回り方向に回転する。
前記回転サポート体用小スプロケット４２の図２反時計回り方向の回転により第１シャフト４０が図２反時計回り方向に回転するのでゴムタイヤ４４が図２反時計回り方向（図２矢印Ｌ方向）に高速で回転する。
【００５０】
このゴムタイヤ４４の外周面は前記回転ドラム３４の外周面と当接しているのでゴムタイヤ４４が図２反時計回り方向に回転することにより、回転ドラム３４の図２時計回り方向の回転をサポートするので回転ドラム３４はより高速回転することにより始動装置３９が回転ドラム３４を回転するのに必要な力を軽減することができる。
【００５１】
なお、この実施例では前記ステータ連動大スプロケット３０と前記ステータ連動小スプロケット４８のスプロケット比は３：１に設定し、前記回転反転用大ギヤ５２と前記回転反転用小ギヤ５６のギヤ比は３：１に設定し、前記回転サポート用大スプロケット５８と前記回転サポート体用小スプロケット４２のスプロケット比は３：１に設定し、前記ゴムタイヤ４４と前記回転ドラム３４の直径比は１．３：１に設定されているので、３×３×３×１．３≒３５となる。
このため、前記ローターシャフト２４が１回転すると前記フランジ付シャフト２６は１／３５回転することになる。
【００５２】
なお、前記回転ドラム３４と前記ゴムタイヤ４４に作用する力は相対的な力であるので、バランスが取れ、ゴムタイヤ４４に作用する力が大きくなることは無い。
【００５３】
この結果、回転ドラム３４は当接しているゴムタイヤ４４によって回転をサポートされることになり、フランジ取付型発電機２０の発電力を増加させることができる。
【００５４】
また、ゴムタイヤ４４が回転ドラム３４の回転をサポートすることにより、始動用チェーン３８を介して始動用スプロケット３６を回転させる始動装置３９の始動力が軽減され、省エネルギーで始動用スプロケット３６を回転させることができる。
【００５５】
従って、反作用利用型発電装置１０は、フランジ取付型発電機２０に作用する反作用を回転に変えて回転反転用大ギヤ５２と回転反転用小ギヤ５６により力を反転させてフランジ取付型発電機２０の発電力を増大させることができると共に極めて効率的にフランジ取付型発電機２０を作動させることができる。
【００５６】
図５〜図８には本発明に係る反作用利用型発電装置の第２実施例が示されている。なお、第１実施例の反作用利用型発電装置１０と同一の構成は同一の符号を用いてその説明は省略する。なお、図６において第１玉軸受ユニット１８Ａと第３玉軸受ユニット１８Ｃは省略して図示しない。
【００５７】
図５及び図７に示されるように、第２実施例の反作用利用型発電装置７０の第１立設支持枠体１４の第１立設支持枠体上端板部１４Ａの正面側には第１玉軸受ユニット１８Ａが固定されている。また、前記第２立設支持枠体１６の第２立設支持枠体上端板部１６Ａの背面側には第２玉軸受ユニット１８Ｂが固定されている。
【００５８】
前記第１立設支持枠体１４と第２立設支持枠体１６の間には発電機としてのフランジ取付型発電機７２が配設されている。このフランジ取付型発電機７２は公知のインナーローター型のフランジ取付型発電機である。
【００５９】
図８に示されるように、このフランジ取付型発電機７２の円筒状のステータ７４の軸心部にはローターとしてのローターシャフト７６が回転可能に挿通されている。前記ステータ７４の内面にはコイル２５Ａが取り付けられており、前記ローターシャフト７６の外周部には永久磁石２５Ｂが取り付けられている。
【００６０】
前記ステータ７４の一端面にはステータ取付シャフトとしてのフランジ付シャフト７８が固定されている。前記ステータ７４のステーターフランジ部７４Ａとフランジ付シャフト７８のフランジ部７８Ａをボルト等の適宜固定手段で固定することによりフランジ付シャフト７８はフランジ取付型発電機７２と同心状に固定されている。
【００６１】
従って、ステータ７４とフランジ付シャフト７８は固定され、一緒に回転するようになっている。
【００６２】
図８に示されるように、前記フランジ付シャフト７８には軸方向に向かって貫通孔７８Ｂが形成されている。
また、フランジ付シャフト７８のフランジ部７８Ａ側には前記貫通孔７８Ｂと同心状にローターシャフト挿入部８０が形成されている。
【００６３】
このローターシャフト挿入部８０には前記ローターシャフト７６の一端部７６Ａが挿入されている。
【００６４】
前記フランジ付シャフト７８にはコード線導入孔７８Ｃが前記貫通孔７８Ｂと連通するように形成されている。
【００６５】
図７に示されるように、前記フランジ付シャフト７８の一端部にはステータ連動大スプロケット３０が固定されている。
【００６６】
前記フランジ付シャフト７８の中間部は第１玉軸受ユニット１８Ａに挿通され、これによりフランジ付シャフト７８は第１玉軸受ユニット１８Ａによって回転可能に支持されている。
【００６７】
また、前記フランジ付シャフト７８の一端部には発電機電力取出用スリップリング３２が取り付けられている。この発電機電力取出用スリップリング３２には前記フランジ取付型発電機７２に基端部が接続されたコード線３３の中間部がコード線導入孔７８Ｃから貫通孔７８Ｂを挿通して発電機電力取出用スリップリング３２に挿通するようになっている。
【００６８】
前記ローターシャフト７６の中間部には回転体としての円筒状の回転ドラム３４が固定して取り付けられている。
【００６９】
また、前記ローターシャフト７６の中間部には始動用スプロケット３６が固定して取り付けられている。
【００７０】
前記ローターシャフト７６の他端部７６Ｂは第２玉軸受ユニット１８Ｂに挿通され、これによりローターシャフト７６は第２玉軸受ユニット１８Ｂによって回転可能に支持されている。
【００７１】
前記第１立設支持枠体１４の第１立設支持枠体上端板部１４Ａには第３玉軸受ユニット１８Ｃが固定されている。また、前記第２立設支持枠体１６の第２立設支持枠体上端板部１６Ａには第４玉軸受ユニット１８Ｄが固定されている。
【００７２】
前記第３玉軸受ユニット１８Ｃには第１シャフト４０の一端部４０Ａが挿通され、前記第４玉軸受ユニット１８Ｄには第１シャフト４０の他端部４０Ｂが挿通されている。これにより、前記第１シャフト４０は第３玉軸受ユニット１８Ｃと第４玉軸受ユニット１８Ｄによって回転可能に支持されている。
【００７３】
前記第１シャフト４０の中間部には回転サポート体用小スプロケット４２が固定された状態で取り付けられている。
【００７４】
また、前記第１シャフト４０の中間部にはゴムタイヤ４４が固定した状態で取り付けられている。このゴムタイヤ４４の外周面は前記回転ドラム３４の外周面と当接した状態で配設されている。なお、この実施例ではゴムタイヤ４４の直径は回転ドラム３４の直径よりも小さく設定されている。
【００７５】
図７に示されるように、前記ベース枠体１２の一側部には第５玉軸受ユニット１８Ｅが固定され、他側部には第６玉軸受ユニット１８Ｆが固定されている。
【００７６】
前記第５玉軸受ユニット１８Ｅと第６玉軸受ユニット１８Ｆには第２シャフト４６が挿通され、これにより第２シャフト４６は第５玉軸受ユニット１８Ｅと第６玉軸受ユニット１８Ｆとによって回転可能に支持されている。
【００７７】
図５に示されるように、前記第２シャフト４６の一端部４６Ａにはステータ連動小スプロケット４８が固定して取り付けられている。このステータ連動小スプロケット４８は前記ステータ連動大スプロケット３０と対応して設けられている。
【００７８】
前記ステータ連動大スプロケット３０と前記ステータ連動小スプロケット４８にはステータ回転力伝達チェーン５０が掛け回されている。
【００７９】
また、前記第２シャフト４６の中間部には回転反転用大ギヤ５２が固定して取り付けられている。
【００８０】
図７に示されるように、前記ベース枠体１２の一側部には第７玉軸受ユニット１８Ｇが固定され、他側部には第８玉軸受ユニット１８Ｈが固定されている。
【００８１】
前記第７玉軸受ユニット１８Ｇと第８玉軸受ユニット１８Ｈには第３シャフト５４が挿通され、これにより、第３シャフト５４は第７玉軸受ユニット１８Ｇと第８玉軸受ユニット１８Ｈによって回転可能に支持されている。
【００８２】
前記第３シャフト５４の中間部には回転反転用小ギヤ５６が固定して取り付けられている。
図６に示されるように、この回転反転用小ギヤ５６は前記回転反転用大ギヤ５２と噛み合った状態で取り付けられている。
【００８３】
図６及び図７に示されるように、前記第３シャフト５４の中間部には回転サポート体用大スプロケット５８が固定した状態で取り付けられている。この回転サポート体用大スプロケット５８は前記回転サポート体用小スプロケット４２と対応して設けられている。
【００８４】
前記回転サポート体用大スプロケット５８と前記回転サポート体用小スプロケット４２には回転サポート体用チェーン６０が掛け回されている。
【００８５】
図５〜図７に示されるように、前記ベース枠体１２の中間部には始動装置としてのギヤードモーター８２が配設されている。このギヤードモーター８２は公知のギヤードモーターである。
【００８６】
前記ギヤードモーター８２に回転可能に設けられたモーターシャフト８４にはモータースプロケット８６が設けられている。
このモータースプロケット８６と前記ローターシャフト７６の始動用スプロケット３６には始動用チェーン３８が掛け回されている。
【００８７】
次に第２実施例の反作用利用型発電装置７０の作用について説明する。
ギヤードモーター８２のスイッチをオンすると始動用チェーン３８を介して始動用スプロケット３６が回転し、ローターシャフト７６と共に回転ドラム３４も一緒に回転する。
この時、前記ローターシャフト７６が挿通しているステータ７４は、コイル２５Ａと永久磁石２５Ｂとの間に生じる電磁力によりローターシャフト７６と同じ方向に回転する。
【００８８】
しかし、前記フランジ取付型発電機７２のステータ７４は、フランジ付シャフト７８を介してステータ回転用大スプロケット３０、ステータ回転力伝達チェーン５０、ステータ連動小スプロケット４８、第２シャフト４６、回転反転用大ギヤ５２、回転反転用小ギヤ５６、第３シャフト５４、回転サポート体用大スプロケット５８、回転サポート体用大スプロケット５８、回転サポート体用チェーン６０、回転サポート体用小スプロケット４２、第１シャフト４０、ゴムタイヤ４４と間接的に接続しているので前記ステータ７４には機械的な負荷がかかっている。
従って、前記ステータ７４は、ローターシャフト７６の回転に比べてかなり低回転となることにより前記フランジ取付型発電機７２は発電を開始する。
【００８９】
この実施例では、前記ステータ７４は図６反時計回り方向に回転するように設定されているので、ステータ７４に固定されているフランジ付シャフト７８も図６反時計回り方向（図６矢印Ｌ方向）に回転する。
前記フランジ付シャフト７８が回転することにより、ステータ回転用大スプロケット３０が図６反時計回り方向に回転する。
前記ステータ連動大スプロケット３０が回転するとステータ回転力伝達チェーン５０を介してステータ連動小スプロケット４８と第２シャフト４６が図６反時計回り方向に回転する。
【００９０】
第２シャフト４６が図６反時計回り方向に回転することにより回転反転用大ギヤ５２も図６反時計回り方向に回転するため回転反転用大ギヤ５２と噛み合っている回転反転用小ギヤ５６は図６時計回り方向に回転する。
この回転反転用小ギヤ５６の図６時計回り方向の回転により第３シャフト５４と回転サポート体用大スプロケット５８が図６時計回り方向に回転する。
【００９１】
この回転サポート体用大スプロケット５８が回転することにより回転サポート体用チェーン６０を介して回転サポート体用小スプロケット４２が図６時計回り方向（図６矢印Ｒ方向）に回転する。
前記回転サポート体用小スプロケット４２の図６時計回り方向に回転により第１シャフト４０が図６時計回り方向に回転するのでゴムタイヤ４４が図６時計回り方向（図６矢印Ｒ方向）に高速で回転する。
【００９２】
このゴムタイヤ４４の外周面は前記回転ドラム３４の外周面と当接しているのでゴムタイヤ４４が回転することにより、ゴムタイヤ４４の回転は回転ドラム３４の回転をサポートするので回転ドラム３４はより高速で回転する。
【００９３】
この結果、回転ドラム３４は当接しているゴムタイヤ４４によって回転をサポートされることになり、フランジ取付型発電機７２の発電力を増加させることができる。
【００９４】
また、ゴムタイヤ４４が回転ドラム３４の回転をサポートすることにより、始動用チェーン３８を介して始動用スプロケット３６を回転させるギヤードモーター８２の始動力が軽減され、省エネルギーで始動用スプロケット３６を回転させることができる。
【００９５】
従って、反作用利用型発電装置７０は、フランジ取付型発電機７２に作用する反作用を回転に変えて回転反転用大ギヤ５２と回転反転用小ギヤ５６により力を反転させてフランジ取付型発電機７２の発電力を増大させることができると共に極めて効率的にフランジ取付型発電機７２を作動させることができる。
【００９６】
なお、他の構成及び作用は第１実施例の反作用利用型発電装置１０と同一であるので、その説明は省略する。
【００９７】
図９〜図１２には本発明に係る反作用利用型発電装置の第３実施例が示されている。また、第１実施例の反作用利用型発電装置１０、第２実施例の反作用利用型発電装置７０と同一の構成は同一の符号を用いてその説明は省略する。なお、図１０において第１玉軸受ユニット１８Ａと第３玉軸受ユニット１８Ｃは省略して図示しない。
【００９８】
図１１に示されるように、第３実施例の反作用利用型発電装置９０の第１立設支持枠体１４の第１立設支持枠体上端板部１４Ａには第１玉軸受ユニット１８Ａが固定されている。また、前記第２立設支持枠体１６の第２立設支持枠体上端板部１６Ａには第２玉軸受ユニット１８Ｂが固定されている。
【００９９】
前記第１立設支持枠体１４と第２立設支持枠体１６の間には発電機としてのフランジ取付型発電機９２が配設されている。このフランジ取付型発電機９２は公知のアウターローター型のフランジ取付型発電機である。
【０１００】
図１２に示されるように、このフランジ取付型発電機９２のステータ９４のステータ―ブラケット部９４Ａの軸心部にはローターとしてのローターシャフト９６が挿通されている。
前記フランジ取付型発電機９２の回転体としての円筒回転カバー部９８は前記ローターシャフト９６と固定されている。この円筒回転カバー部９８は略円筒形状に形成され、内部には永久磁石２５Ｂが取り付けられている。なお、この円筒回転カバー部９８の内部には円筒回転カバー部９８の回転を加減できる加減速機（図示せず）が収容されている。
【０１０１】
前記ステータブラケット部９４Ａにはコイル２５Ａが設けられている。
【０１０２】
前記ステータ９４のステータフランジ部９４Ｂにはブラケット付シャフト１００のフランジ部１００Ａが適宜固定手段により固定され、これによりフランジ付シャフト１００はステータ９４と同心状に固定されている。
【０１０３】
従って、ステータ９４とフランジ付シャフト１００は固定され、一緒に回転するようになっている。
前記フランジ付シャフト１００のフランジ部１００Ａ側にはローターシャフト挿入部１０２が形成されている。
【０１０４】
このローターシャフト挿入部１０２には前記ローターシャフト９６の一端部９６Ａが挿入されている。
【０１０５】
前記ローターシャフト９６には軸方向に向かって貫通孔９６Ｂが形成されている。
【０１０６】
また、前記ローターシャフト９６にはコード線導入孔９６Ｃが前記貫通孔９６Ｂと連通するように形成されている。
【０１０７】
図１１に示されるように、前記ブラケット付シャフト１００の一端部１００Ｂにはステータ連動大スプロケット３０が固定されている。
【０１０８】
前記ブラケット付シャフト１００の中間部は第１玉軸受ユニット１８Ａに挿通され、これによりブラケット付シャフト１００は第１玉軸受ユニット１８Ａによって回転可能に支持されている。
【０１０９】
前記ローターシャフト９６の中間部には始動用スプロケット３６が固定されている。
【０１１０】
前記ローターシャフト９６の中間部は第２玉軸受ユニット１８Ｂに挿通され、これによりローターシャフト９６は第２玉軸受ユニット１８Ｂによって回転可能に支持されている。
【０１１１】
また、前記ローターシャフト９６の他端部には発電機電力取出用スリップリング３２が取り付けられている。この発電機電力取出用スリップリング３２には前記フランジ取付型発電機９２に基端部が接続されたコード線３３の中間部がコード線導入孔９６Ｃから貫通孔９６Ｂを挿通して発電機電力取出用スリップリング３２に挿通するようになっている。
【０１１２】
図１１に示されるように、前記第１立設支持枠体１４の第１立設支持枠体上端板部１４Ａには第３玉軸受ユニット１８Ｃが固定されている。また、前記第２立設支持枠体１６の第２立設支持枠体上端板部１６Ａには第４玉軸受ユニット１８Ｄが固定されている。
【０１１３】
前記第３玉軸受ユニット１８Ｃには第１シャフト４０の一端部４０Ａが挿通され、前記第４玉軸受ユニット１８Ｄには第１シャフト４０の他端部４０Ｂが挿通されている。これにより、前記第１シャフト４０は第３玉軸受ユニット１８Ｃと第４玉軸受ユニット１８Ｄによって回転可能に支持されている。
【０１１４】
前記第１シャフト４０の中間部には回転サポート体用小スプロケット４２が固定された状態で取り付けられている。
【０１１５】
また、前記第１シャフト４０の中間部にはゴムタイヤ４４が固定した状態で取り付けられている。このゴムタイヤ４４の外周面は前記円筒回転カバー部９８の外周面と当接した状態で配設されている。このゴムタイヤ４４の直径寸法は円筒回転カバー部９８の直径寸法よりも小さく設定されている。
【０１１６】
前記ベース枠体１２の一側部には第５玉軸受ユニット１８Ｅが固定され、他側部には第６玉軸受ユニット１８Ｆが固定されている。
【０１１７】
前記第５玉軸受ユニット１８Ｅと第６玉軸受ユニット１８Ｆには第２シャフト４６が挿通され、これにより第２シャフト４６は第５玉軸受ユニット１８Ｅと第６玉軸受ユニット１８Ｆとによって回転可能に支持されている。
【０１１８】
図９に示されるように、前記第２シャフト４６の一端部４６Ａにはステータ連動小スプロケット４８が固定して取り付けられている。このステータ連動小スプロケット４８は前記ステータ連動大スプロケット３０と対応して設けられている。
【０１１９】
前記ステータ連動大スプロケット３０と前記ステータ連動小スプロケット４８にはステータ回転力伝達チェーン５０が掛け回されている。
【０１２０】
図１１に示されるように、前記第２シャフト４６の中間部には回転反転用小ギヤ５６が固定して取り付けられている。
【０１２１】
前記ベース枠体１２の一側部には第７玉軸受ユニット１８Ｇが固定され、他側部には第８玉軸受ユニット１８Ｈが固定されている。
【０１２２】
前記第７玉軸受ユニット１８Ｇと第８玉軸受ユニット１８Ｈには第３シャフト５４が挿通され、これにより第３シャフト５４は第７玉軸受ユニット１８Ｇと第８玉軸受ユニット１８Ｈによって回転可能に支持されている。
【０１２３】
前記第３シャフト５４の中間部には回転反転用大ギヤ５２が固定して取り付けられている。
図１０に示されるように、この回転反転用大ギヤ５２は前記回転反転用小ギヤ５６と噛み合った状態で取り付けられている。
【０１２４】
図１１に示されるように、前記第３シャフト５４の中間部には回転サポート体用大スプロケット５８が固定した状態で取り付けられている。この回転サポート体用大スプロケット５８は前記回転サポート体用小スプロケット４２と対応して設けられている。
【０１２５】
図９に示されるように、前記回転サポート体用大スプロケット５８と前記回転サポート体用小スプロケット４２には回転サポート体用チェーン６０が掛け回されている。
【０１２６】
前記ベース枠体１２には始動装置としてのギヤードモーター８２が配設されている。
【０１２７】
前記ギヤードモーター８２に回転可能に設けられたモーターシャフト８４にはモータースプロケット８６が設けられている。
このモータースプロケット８６と前記ローターシャフト９６の始動用スプロケット３６には始動用チェーン３８が掛け回されている。
【０１２８】
次に第３実施例の反作用利用型発電装置９０の作用について説明する。
【０１２９】
ギヤードモーター８２のスイッチをオンすると始動用チェーン３８を介して始動用スプロケット３６が回転し、ローターシャフト９６と共に回転カバー部９８も一緒に回転する。
この時、前記ローターシャフト９６が挿通しているステータ９４は、コイル２５Ａと永久磁石２５Ｂとの間に生じる電磁力によりローターシャフト９６と同じ方向に回転する。
【０１３０】
しかし、前記フランジ取付型発電機９２のステータ９４は、フランジ付シャフト１００を介してステータ回転用大スプロケット３０、ステータ回転力伝達チェーン５０、ステータ連動小スプロケット４８、第２シャフト４６、回転反転用小ギヤ５６、回転反転用大ギヤ５２、第３シャフト５４、回転サポート体用大スプロケット５８、回転サポート体用チェーン６０、回転サポート体用小スプロケット４２、第１シャフト４０、ゴムタイヤ４４と間接的に接続しているので前記ステータ９４には機械的な負荷がかかっている。
このため、ステータ９４は、ローターシャフト９６の回転に比べてかなり低回転となることにより前記フランジ取付型発電機９２は発電を開始する。
【０１３１】
この実施例では、前記ステータ９４は図１０反時計回り方向に回転するように設定されているので、ステータ９４に固定されているフランジ付シャフト１００も図１０反時計回り方向（図１０矢印Ｌ方向）に回転する。
前記フランジ付シャフト１００が回転することにより、ステータ回転用大スプロケット３０が図１０反時計回り方向に回転する。
前記ステータ連動大スプロケット３０が回転するとステータ回転力伝達チェーン５０を介してステータ連動小スプロケット４８と第２シャフト４６と回転反転用小ギヤ５６が図１０反時計回り方向に回転する。
【０１３２】
前記回転反転用小ギヤ５６は回転反転用大ギヤ５２と噛み合っているので、回転反転用大ギヤ５２は図１０時計回り方向に回転するため第３シャフト５４と回転サポート体用大スプロケット５８が図１０時計回り方向に回転する。
【０１３３】
この回転サポート体用大スプロケット５８が回転することにより回転サポート体用チェーン６０を介して回転サポート体用小スプロケット４２が図１０時計回り方向（図１０矢印Ｒ方向）に回転する。
前記回転サポート体用小スプロケット４２の図１０時計回り方向に回転により第１シャフト４０が図１０時計回り方向に回転するのでゴムタイヤ４４が図１０時計回り方向に高速で回転する。
【０１３４】
このゴムタイヤ４４の外周面は前記円筒回転カバー部９８の外周面と当接しているのでゴムタイヤ４４が回転することにより、円筒回転カバー部９８はより高速で回転する。
【０１３５】
この結果、円筒回転カバー部９８は当接しているゴムタイヤ４４によって回転をサポートされることになり、フランジ取付型発電機９２の発電力を増加させることができる。
【０１３６】
また、ゴムタイヤ４４が円筒回転カバー部９８の回転をサポートすることにより、始動用チェーン３８を介して始動用スプロケット３６を回転させるギヤードモーター８２の始動力が軽減される。
【０１３７】
従って、反作用利用型発電装置９０は、フランジ取付型発電機９２に作用する反作用を回転に変えて回転反転用大ギヤ５２と回転反転用小ギヤ５６により力を反転させてフランジ取付型発電機９２の発電力を増大させることができると共に極めて効率的にフランジ取付型発電機９２を作動させることができる。
【０１３８】
なお、他の構成及び作用は第１実施例の反作用利用型発電装置１０、第２実施例の反作用利用型発電装置７０と同一であるので、その説明は省略する。
【０１３９】
図１３乃至図１６には反作用利用型電動装置の第１実施例が示されている。なお、この第１実施例の反作用利用型電動装置１１０は第１実施例の反作用利用型発電装置１０と構造が極めて類似するので前記反作用利用型発電装置１０と同一の構成は同一の符号を用いてその説明を省略する。
【０１４０】
図１３及び図１４に示されるように、第１実施例の反作用利用型電動装置１１０にはフランジ取付型電動機１１２が設けられている。このフランジ取付型電動機１１２は公知のインナーローター型電動機であり、構成は第１実施例の反作用利用型発電装置１０に使用したフランジ取付型発電機２０と同一である。
【０１４１】
また、前記フランジ付シャフト２６の一端部には電動機電源供給用スリップリング１１４が取り付けられている。この電動機電源供給用スリップリング１１４には前記フランジ取付型電動機１１２に基端部が接続されたコード線３３の中間部がコード線導入孔２６Ｃから貫通孔２６Ｂを挿通して電動機電源供給用スリップリング１１４に挿通するようになっている。
【０１４２】
前記コード線３３の先端部には前記フランジ取付型電動機１１２にコード線３３を介して送電する適宜の電源装置１１６と接続されている。
従って、この電源装置１１６からリード線３２を介してフランジ取付電動機１１２に送電するとフランジ取付電動機１１２が作動するようになっている。
【０１４３】
図１５に示されるように、前記ローターシャフト２４の中間部には駆動用回転力伝達体としての駆動用スプロケット１１８が固定して取り付けられている。
この駆動用スプロケット１１８には回転力伝達環状体としての駆動用チェーン１２０（想像線で示す）が掛け回されている。
この駆動用チェーン１２０は工作機械等の適宜作動装置１２２に適宜手段で接続されており、作動装置１２２を作動させることができるようになっている。
【０１４４】
第１実施例の反作用利用型電動装置１１０の作用について説明する。
【０１４５】
電源装置１１６のスイッチをオンするとコード線３３を介してフランジ取付電動機１１２のローターシャフト２４と回転ドラム３４が一緒に回転する。
この時、前記ローターシャフト２４が挿通しているステータ２２は、コイル２５Ａと永久磁石２５Ｂとの間に生じる電磁力によりローターシャフト２４と同じ方向に回転する。
【０１４６】
しかし、前記フランジ取付型電動機１１２のステータ―２２はフランジ付シャフト２６を介してステータ回転用大スプロケット３０、ステータ回転力伝達チェーン５０、ステータ連動小スプロケット４８、第２シャフト４６、回転反転用大ギヤ５２、回転反転用小ギヤ５６、第３シャフト５４、回転サポート体用大スプロケット５８、回転サポート体用チェーン６０、回転サポート体用小スプロケット４２、第１シャフト４０、ゴムタイヤ４４と間接的に接続しているので前記ステータ２２には機械的な負荷がかかっている。
このため、ステータ２２は、ローターシャフト２４の回転に比べてかなり低回転となることにより前記フランジ取付型電動機１１２は作動する。
【０１４７】
この実施例では、前記ステータ２２は図１４時計回り方向（図１４矢印Ｒ方向）に回転するように設定されているので、ステータ２２に固定されているフランジ付シャフト２６も図１４時計回り方向（図１４矢印Ｒ方向）に回転する。
前記フランジ付シャフト２６が回転することにより、ステータ回転用大スプロケット３０が図１４時計回り方向（図１４矢印Ｒ方向）に回転する。
前記ステータ連動大スプロケット３０が回転するとステータ回転力伝達チェーン５０を介してステータ連動小スプロケット４８と第２シャフト４６が図１４時計回り方向（図１４矢印Ｒ方向）に回転する。
【０１４８】
第２シャフト４６が図１４時計回り方向に回転することにより回転反転用大ギヤ５２も図１４時計回り方向に回転するため回転反転用大ギヤ５２と噛み合っている回転反転用小ギヤ５６は図２反時計回り方向に回転する。
この回転反転用小ギヤ５６の図１４反時計回り方向の回転により第３シャフト５４と回転サポート体用大スプロケット５８が図１４反時計回り方向に回転する。
【０１４９】
この回転サポート体用大スプロケット５８が回転することにより回転サポート体用チェーン６０を介して回転サポート体用小スプロケット４２が図１４反時計回り方向に回転する。
前記回転サポート体用小スプロケット４２の図１４反時計回り方向に回転により第１シャフト４０が図１４反時計回り方向に回転するのでゴムタイヤ４４が図１４反時計回り方向（図１４矢印Ｌ方向）に高速で回転する。
【０１５０】
このゴムタイヤ４４の外周面は前記回転ドラム３４の外周面と当接しているのでゴムタイヤ４４が回転することにより、ゴムタイヤ４４の回転は回転ドラム３４の回転をサポートするので回転ドラム３４はより高速で回転すると共に回転ドラム３４を回転するのに必要な力を軽減することができる。
【０１５１】
この結果、回転ドラム３４は当接しているゴムタイヤ４４によって回転をサポートされることになり、フランジ取付型電動機１１２のローターシャフト２４が高速回転し駆動用スプロケット１１８も高速回転する。
この駆動用スプロケット１１８が回転することにより駆動用チェーン１２０を介して駆動用チェーン１２０と接続されている工作機械等の適宜作動装置１２２を作動させることができる。
【０１５２】
また、ゴムタイヤ４４が回転ドラム３４の回転をサポートすることにより、電源装置１１６の出力を軽減することができる。
【０１５３】
従って、反作用利用型電動装置１１０は、フランジ取付型電動機１１２の反力を回転に変えて回転反転用大ギヤ５２と回転反転用小ギヤ５６により力を反転させてローターシャフト２４のシャフトへ力を順方向に加えてフランジ取付型電動機１１２の駆動力を増大させることができると共に極めて効率的にフランジ取付型電動機１１２を作動させることができる。
【０１５４】
図１７乃至図１９には反作用利用型電動装置の第２実施例が示されている。なお、第２実施例の反作用利用型電動装置１３０は、第２実施例の反作用利用型発電装置７０の構造と類似するので反作用利用型発電装置７０と同一の構成は同一の符号を用いてその説明を省略する。また、第１実施例の反作用利用型電動装置１１０と同一の構成は同一の符号を用いてその説明を省略する。
【０１５５】
図１８及び図１９に示されるように、反作用利用型電動装置１３０にはフランジ取付型電動機１３２が設けられている。なお、このフランジ取付型電動機１３２は公知のインナーローター型電動機であり、構成は第２実施例の反作用利用型発電装置７０に使用したフランジ取付型発電機７２と同一である。
【０１５６】
図１８に示されるように、前記フランジ付シャフト７８の一端部には電動機電源供給用スリップリング１１４が取り付けられている。この電動機電源供給用スリップリング１１４には前記フランジ取付型電動機１３２に基端部が接続されたコード線３３の中間部がコード線導入孔７８Ｃから貫通孔７８Ｂを挿通して電動機電源供給用スリップリング１１４に挿通するようになっている。
【０１５７】
前記コード線３３の先端部には前記フランジ取付型電動機１３２にコード線３３を介して送電する適宜の電源装置１１６（図１３参照）と接続されている。
従って、この電源装置１１６からコード線３３を介してフランジ取付電動機１３２に送電するとフランジ取付電動機１３２が作動するようになっている。
【０１５８】
前記ローターシャフト７６の中間部には駆動用スプロケット１１８が固定して取り付けられている。
この駆動用スプロケット１１８には駆動用チェーン１２０（想像線で示す）が掛け回されている。
この駆動用チェーン１２０は機械等の適宜作動装置１２２に接続されており、作動装置１２２を作動させることができるようになっている。
【０１５９】
第２実施例の反作用利用型電動装置１３０の作用について説明する。
【０１６０】
電源装置１１６のスイッチをオンするとコード線３３を介してフランジ取付電動機１３２のローターシャフト７６と回転ドラム３４が一緒に回転する。
この時、前記ローターシャフト７６が挿通しているステータ７４は、コイル２５Ａと永久磁石２５Ｂとの間に生じる電磁力によりローターシャフト７６と同じ方向に回転する。
【０１６１】
しかし、前記フランジ取付型電動機１３２のステータ―７６はフランジ付シャフト７８を介してステータ回転用大スプロケット３０、ステータ回転力伝達チェーン５０、ステータ連動小スプロケット４８、第２シャフト４６、回転反転用大ギヤ５２、回転反転用小ギヤ５６、第３シャフト５４、回転サポート体用大スプロケット５８、回転サポート体用チェーン６０、回転サポート体用小スプロケット４２、第１シャフト４０、ゴムタイヤ４４と間接的に接続しているので前記ステータ７４には機械的な負荷がかかっている。
このため、ステータ７４は、ローターシャフト７６の回転に比べてかなり低回転となることにより前記フランジ取付型電動機１３２は作動する。
【０１６２】
この実施例では、前記ステータ７４は図１７反時計回り方向に回転するように設定されているので、ステータ７４に固定されているフランジ付シャフト７８も図１７反時計回り方向（図１７矢印Ｌ方向）に回転する。
前記フランジ付シャフト７８が回転することにより、ステータ回転用大スプロケット３０が図１７反時計回り方向（図１７矢印Ｌ方向）に回転する。
前記ステータ連動大スプロケット３０が回転するとステータ回転力伝達チェーン５０を介してステータ連動小スプロケット４８と第２シャフト４６が図１７反時計回り方向（図１７矢印Ｌ方向）に回転する。
【０１６３】
第２シャフト４６が図１７反時計回り方向に回転することにより回転反転用大ギヤ５２も図１７反時計回り方向に回転するため回転反転用大ギヤ５２と噛み合っている回転反転用小ギヤ５６は図１７時計回り方向に回転する。
この回転反転用小ギヤ５６の図１７時計回り方向の回転により第３シャフト５４と回転サポート体用大スプロケット５８が図１７時計回り方向に回転する。
【０１６４】
この回転サポート体用大スプロケット５８が回転することにより回転サポート体用チェーン６０を介して回転サポート体用小スプロケット４２が図１７時計回り方向に回転する。
前記回転サポート体用小スプロケット４２の図１７時計回り方向に回転により第１シャフト４０が図１７時計回り方向に回転するのでゴムタイヤ４４が図１７時計回り方向（図１７矢印Ｒ方向）に高速で回転する。
【０１６５】
このゴムタイヤ４４の外周面は前記回転ドラム３４の外周面と当接しているのでゴムタイヤ４４が回転することにより、ゴムタイヤ４４の回転は回転ドラム３４の回転をサポートするので回転ドラム３４はより高速で回転すると共に回転ドラム３４を回転するのに必要な力を軽減することができる。
【０１６６】
この結果、回転ドラム３４は当接しているゴムタイヤ４４によって回転をサポートされることになり、フランジ取付型電動機１３２のローターシャフト７６が高速回転し駆動用スプロケット１１８も高速回転する。
この駆動用スプロケット１１８が回転することにより駆動用チェーン１２０を介して駆動用チェーン１２０が接続されている工作機械等の適宜作動装置１２２を作動させることができる。
【０１６７】
また、ゴムタイヤ４４が回転ドラム３４の回転をサポートすることにより、電源装置１１６の出力を軽減することができる。
【０１６８】
従って、反作用利用型電動装置１３０は、フランジ取付型電動機１３２の反力を回転に変えて回転反転用大ギヤ５２と回転反転用小ギヤ５６により力を反転させてローターシャフト２４のシャフトへ力を順方向に加えてフランジ取付型電動機１３２の駆動力を増大させることができると共に極めて効率的にフランジ取付型電動機１３２を作動させることができる。
【０１６９】
なお、他の構成及び作用は第１実施例の反作用利用型電動装置１１０と同一であるので、その説明は省略する。
【０１７０】
なお、実施例では回転サポート体としてゴムタイヤ４４を示したが、回転サポート体は回転ドラム３４の回転をサポートできるものであれば円筒体等でもよく前記ゴムタイヤ４４に限定されるものでない。
【０１７１】
なお、実施例では回転体としての回転ドラム３４と回転サポート体としてのゴムタイヤ４４を当接させて回転ドラム３４の回転をゴムタイヤ４４がサポートするようにしたが、これに限定されるものでなく例えば前記回転体は回転ドラム３４の代わりにギヤを設け、回転サポート体はゴムタイヤ４４の代わりにギヤを設けて噛み合わせるようにしてもよい。
【０１７２】
また、実施例の始動用スプロケット３６をプーリーに、始動用チェーン３８をＶベルト等のベルトに変更してもよいことは勿論である。
【０１７３】
なお、実施例では回転力伝達体としてスプロケット、回転力伝達環状体としてチェーンの組み合わせを示したが、回転力を伝達できるもんであれば例えば回転力伝達体をプーリーに、回転力伝達環状体をＶベルト等の組み合わせにしてもよいことは勿論である。
【０１７４】
なお、前記回転ドラム３４と前記ゴムタイヤ４４を取り外してゴムタイヤ４４に替えて別途に発電機又は電動機等の負荷を取り付けてもよい。  
【符号の説明】
【０１７５】
１０    反作用利用型発電装置
１２    ベース枠体
１４    第１立設支持枠体
１６    第２立設支持枠体
１８Ａ  第１玉軸受ユニット
１８Ｂ  第２玉軸受ユニット
１８Ｃ  第３玉軸ユニット
１８Ｄ  第４玉軸ユニット
１８Ｅ  第５玉軸ユニット
１８Ｆ  第６玉軸ユニット
１８Ｇ  第７玉軸ユニット
１８Ｈ  第８玉軸ユニット
２０    フランジ取付型発電機
２２    ステータ
２４    ローターシャフト
２６    フランジ付シャフト
２６Ａ  フランジ部
２６Ｂ  貫通孔
２６Ｃ  コード線導入孔
２８    ローターシャフト挿入部
３０    ステータ連動大スプロケット
３２    発電機電力取出用スリップリング
３３    コード線
３４    回転ドラム
３６    始動用スプロケット
３８    始動用チェーン
４０    第１シャフト
４２    回転サポート体用小スプロケット
４４    ゴムタイヤ
４６    第２シャフト
４８    ステータ連動小スプロケット
５０    ステータ回転力伝達チェーン
５２    回転反転用大ギヤ
５４    第３シャフト
５６    回転反転用小ギヤ
５８    回転サポート体用大スプロケット
６０    回転サポート体用チェーン
【図１】
2020043635.tif 000003
【図２】
2020043635.tif 000004
【図３】
2020043635.tif 000005
【図４】
2020043635.tif 000006
【図５】
2020043635.tif 000007
【図６】
2020043635.tif 000008
【図７】
2020043635.tif 000009
【図８】
2020043635.tif 000010
【図９】
2020043635.tif 000011
【図１０】
2020043635.tif 000012
【図１１】
2020043635.tif 000013
【図１２】
2020043635.tif 000014
【図１３】
2020043635.tif 000015
【図１４】
2020043635.tif 000016
【図１５】
2020043635.tif 000017
【図１６】
2020043635.tif 000018
【図１７】
2020043635.tif 000019
【図１８】
2020043635.tif 000020
【図１９】
2020043635.tif 000021